(57)【特許請求の範囲】
【請求項１】
可撓性材料からなる複数の絶縁体層が積層されることにより構成された可撓性を有する積層体と、
前記積層体の内部に設けられたビアホール導体と、
前記ビアホール導体の下側において、該ビアホール導体には接続されておらず、該ビアホール導体に前記絶縁体層を介して対向配置されており、かつ、積層方向から平面視したときに、前記ビアホール導体を内含するように設けられた膜状の導体と、
前記積層体の上面に設けられ、かつ、電子部品が実装される第１の外部電極と、
を備えており、
前記ビアホール導体と重なっている領域において、前記膜状の導体と前記ビアホール導体との間に配置された前記絶縁体層に対してずれが発生し得るように、前記膜状の導体が前記絶縁体層と化学結合していないこと、
を特徴とする回路基板。
【請求項２】
前記複数の膜状の導体は、前記積層体の積層方向に関する中心面よりも、前記上面側に設けられていること、
を特徴とする請求項１に記載の回路基板。
【発明の詳細な説明】
【技術分野】
【０００１】
本発明は、回路基板に関し、より特定的には、電子部品が実装される回路基板に関する。
【背景技術】
【０００２】
従来の一般的な回路基板としては、セラミック層が積層されてなる回路基板が知られている。図１０は、従来の回路基板５００がプリント配線基板６００上に実装された様子を示した図である。また、回路基板５００には、電子部品７００が実装されている。
【０００３】
回路基板５００は、図１０に示すように、本体５０１及び外部電極５０２，５０３により構成されている。本体５０１は、セラミック層が積層されて構成されており、硬質基板である。外部電極５０２，５０３はそれぞれ、本体５０１の上面及び下面に設けられている。
【０００４】
また、プリント配線基板６００は、例えば、携帯電話等の電子装置に搭載されているマザーボードであり、図１０に示すように、本体６０１及び外部電極６０２を備えている。本体６０１は、樹脂等からなる硬質基板である。外部電極６０２は、本体６０１の上面に設けられている。
【０００５】
また、電子部品７００は、例えば、半導体集積回路であり、本体７０１及び外部電極７０２を備えている。本体７０１は、半導体基板である。外部電極７０２は、本体７０１の下面に設けられている。
【０００６】
回路基板５００は、図１０に示すように、プリント配線基板６００上に実装される。具体的には、回路基板５００は、外部電極５０２と外部電極６０２とがはんだにより接続されることにより実装されている。
【０００７】
電子部品７００は、図１０に示すように、回路基板５００上に実装される。具体的には、電子部品７００は、外部電極５０３と外部電極７０２とがはんだにより接続されることにより実装されている。以上のような、回路基板５００、プリント配線基板６００及び電子部品７００は、携帯電話等の電子装置に搭載される。
【０００８】
ところで、従来の回路基板５００は、プリント配線基板６００から外れるおそれがあるという問題を有している。より詳細には、回路基板５００及びプリント配線基板６００が搭載された電子装置が落下した際の衝撃により、プリント配線基板６００に撓みが発生する場合がある。プリント配線基板６００に撓みが発生しても、回路基板５００は、硬質基板であるので、プリント配線基板６００の撓みに追従して大きく変形できない。そのため、外部電極５０２と外部電極６０２とを接続しているはんだに負荷がかかる。その結果、はんだが破損して、回路基板５００がプリント配線基板６００から外れてしまう場合がある。
【０００９】
このような問題を解決する方法としては、可撓性材料からなるシートを積層することにより、回路基板５００を作製することが挙げられる。このような可撓性材料からなるシートが積層されてなる回路基板としては、例えば、特許文献１に記載のプリント基板が知られている。なお、プリント基板８００の構成については、図１０を援用する。
【００１０】
特許文献１に記載のプリント基板８００は、図１０に示すように、本体８０１及び外部電極（ランド）８０２，８０３を備えている。本体８０１は、熱可塑性樹脂からなるシートが積層されて構成されている。外部電極８０２，８０３はそれぞれ、本体８０１の上面及び下面に設けられている。プリント基板８００は、回路基板５００と同様に、下面の外部電極８０２を介してプリント配線基板６００に実装される。また、電子部品７００は、回路基板５００と同様に、上面の外部電極８０３を介してプリント基板８００に実装される。
【００１１】
しかしながら、特許文献１に記載のプリント基板８００では、電子部品７００が外れるおそれがある。より詳細には、プリント基板８００は、可撓性材料からなるシートにより構成されているので、撓むことができる。そのため、プリント配線基板６００が撓んだとしても、プリント基板８００は、プリント配線基板６００の撓みに伴って撓むことができる。よって、外部電極６０２と外部電極８０２とを接続するはんだが破損して、プリント基板８００がプリント配線基板６００から外れることは抑制される。
【００１２】
ところで、プリント基板８００は、全面にわたって可撓性を有しているので、全面にわたって撓んでしまう。一方、電子部品７００は、半導体基板により構成されているので、大きく撓むことができない。よって、外部電極７０２，８０３及びこれらを接続するはんだに負荷がかかる。その結果、はんだが破損したり、外部電極７０２，８０３が本体７０１，８０１から剥離したりする。すなわち、電子部品７００とプリント基板８００との接続が外れてしまう。
【００１３】
なお、図１０では、プリント基板８００は、外部電極８０２によりプリント配線基板６００に取り付けられている。ただし、プリント基板８００が接着剤などによって筐体に取り付けられている場合においても、電子部品７００とプリント基板８００との接続が外れるという問題は発生しうる。
【先行技術文献】
【特許文献】
【００１４】
【特許文献１】特開２００６−９３４３８号公報
【発明の概要】
【発明が解決しようとする課題】
【００１５】
そこで、本発明の目的は、回路基板から電子部品が外れることを抑制できる回路基板を提供することである。
【課題を解決するための手段】
【００１６】
本発明の一形態に係る回路基板は、可撓性材料からなる複数の絶縁体層が積層されることにより構成された可撓性を有する積層体と、前記積層体の内部に設けられたビアホール導体と、前記ビアホール導体の下側において、該ビアホール導体には接続されておらず、該ビアホール導体に前記絶縁体層を介して対向配置されており、かつ、積層方向から平面視したときに、前記ビアホール導体を内含するように設けられた膜状の導体と、前記積層体の上面に設けられ、かつ、電子部品が実装される第１の外部電極と、を備えており、前記ビアホール導体と重なっている領域において、前記膜状の導体と前記ビアホール導体との間に配置された前記絶縁体層に対してずれが発生し得るように、前記膜状の導体が前記絶縁体層と化学結合していないこと、を特徴とする。
【発明の効果】
【００１７】
本発明によれば、回路基板から電子部品が外れることを抑制できる。
【図面の簡単な説明】
【００１８】
【図１】本発明の一実施形態に係る回路基板の外観斜視図である。
【図２】図１の回路基板の分解斜視図である。
【図３】図１の回路基板のＡ−Ａにおける断面構造図である。
【図４】図１の回路基板を積層方向から透視した図である。
【図５】図１の回路基板を備えたモジュールの構成図である。
【図６】第１の変形例に係る回路基板の分解斜視図である。
【図７】第２の変形例に係る回路基板の分解斜視図である。
【図８】第３の変形例に係る回路基板の分解斜視図である。
【図９】第４の変形例に係る回路基板の分解斜視図である。
【図１０】従来の回路基板がプリント配線基板上に実装された様子を示した図である。
【発明を実施するための形態】
【００１９】
以下に、本発明の実施形態に係る回路基板について図面を参照しながら説明する。
【００２０】
（回路基板の構成）
以下に、本発明の一実施形態に係る回路基板の構成について図面を参照しながら説明する。図１は、本発明の一実施形態に係る回路基板１０の外観斜視図である。図２は、図１の回路基板１０の分解斜視図である。図３は、図１の回路基板１０のＡ−Ａにおける断面構造図である。図４は、図１の回路基板１０を積層方向から透視した図である。図１ないし図４において、回路基板１０の作製時に、絶縁体層が積層される方向を積層方向と定義する。そして、この積層方向をｚ軸方向とし、回路基板１０の長辺に沿った方向をｘ軸方向とし、回路基板１０の短辺に沿った方向をｙ軸方向とする。また、回路基板１０において、ｚ軸方向の正方向側の面を上面と称し、ｚ軸方向の負方向側の面を下面と称し、その他の面を側面と称す。
【００２１】
回路基板１０は、図１及び図２に示すように、積層体１１、外部電極１２（１２ａ〜１２ｄ），１４（１４ａ〜１４ｆ）、内部導体１８（１８ａ〜１８ｄ），２０（２０ａ〜２０ｆ），２２（２２ａ，２２ｂ）及びビアホール導体ｂ１〜ｂ１１を備えている。積層体１１は、図２に示すように、可撓性材料（例えば、液晶ポリマー等の熱可塑性樹脂）からなる長方形状の絶縁体層１６ａ〜１６ｈが積層されて構成されている。これにより、積層体１１は、直方体状をなしている。以下では、絶縁体層１６の表面とは、ｚ軸方向の正方向側の主面を指し、絶縁体層１６の裏面とは、ｚ軸方向の負方向側の主面を指すものとする。
【００２２】
外部電極１２は、導電性材料（例えば、銅）からなる層であって、図１に示すように、積層体１１の上面に設けられている。より詳細には、外部電極１２は、ｚ軸方向の最も正方向側に設けられている絶縁体層１６ａの表面の中央（対角線の交点）近傍に設けられている。外部電極１２ａ，１２ｂは、ｙ軸方向に並ぶように設けられている。外部電極１２ｃ，１２ｄは、外部電極１２ａ，１２ｂよりもｘ軸方向の正方向側において、ｙ軸方向に並ぶように設けられている。また、外部電極１２は、２つのグループ（グループＧ１，Ｇ２）に分けられている。具体的には、外部電極１２ａ，１２ｂは、グループＧ１に属している。外部電極１２ｃ，１２ｄは、グループＧ２に属している。外部電極１２は、積層体１１の上面に実装される電子部品との接続に用いられる。
【００２３】
内部導体１８は、導電性材料（例えば、銅）からなる配線層であって、図２に示すように、積層体１１に内蔵されている。具体的には、内部導体１８は、絶縁体層１６ｂの表面に設けられている。内部導体１８ａ〜１８ｄはそれぞれ、ｚ軸方向から平面視したときに、外部電極１２ａ〜１２ｄと重なっている。なお、図２において、内部導体１８は、外部電極１２と重なっている部分近傍のみが示され、それ以外の部分については省略されている。
【００２４】
内部導体２０は、導電性材料（例えば、銅）からなるコンデンサ導体又はグランド導体等の大面積を有する膜状の導体であり、積層体１１に内蔵されている。内部導体２０は、複数の絶縁体層１６に設けられている。具体的には、内部導体２０ａ，２０ｂは、絶縁体層１６ｃの表面においてｘ軸方向に並ぶように設けられている。内部導体２０ｃ，２０ｄは、絶縁体層１６ｄの表面においてｘ軸方向に設けられている。内部導体２０ｅ，２０ｆは、絶縁体層１６ｅの表面においてｘ軸方向に設けられている。
【００２５】
更に、内部導体２０ａ，２０ｃ，２０ｅは、図４に示すように、ｚ軸方向から平面視したときに、互いに一致した状態で重なっていると共に、グループＧ１に属する外部電極１２ａ，１２ｂと重なっている。これにより、外部電極１２ａ，１２ｂは、ｚ軸方向から平面視したときに、複数の内部導体２０と重なっている。また、内部導体２０ａ，２０ｃ，２０ｅは、ｚ軸方向から平面視したときに、外部電極１２ａ，１２ｂと重なっている領域においてビアホール導体によって互いに接続されていない。
【００２６】
また、内部導体２０ｂ，２０ｄ，２０ｆは、ｚ軸方向から平面視したときに、互いに一致した状態で重なっていると共に、グループＧ２に属する外部電極１２ｃ，１２ｄと重なっている。これにより、外部電極１２ｃ，１２ｄは、ｚ軸方向から平面視したときに、複数の内部導体２０と重なっている。また、内部導体２０ｂ，２０ｄ，２０ｆは、ｚ軸方向から平面視したときに、外部電極１２ｃ，１２ｄと重なっている領域においてビアホール導体によって互いに接続されていない。
【００２７】
内部導体２２は、導電性材料（例えば、銅）からなる配線層であって、図２に示すように、積層体１１に内蔵されている。具体的には、内部導体２２ａ，２２ｂはそれぞれ、絶縁体層１６ｆ，１６ｇの表面に設けられている。なお、図２において、内部導体２２は、端部近傍のみが示され、それ以外の部分については省略されている。
【００２８】
外部電極１４は、導電性材料（例えば、銅）からなる層であって、図１に示すように、積層体１１の下面に設けられている。すなわち、外部電極１４は、ｚ軸方向の最も負方向側に設けられている絶縁体層１６ｈの裏面に設けられている。更に、外部電極１４ａ〜１４ｃは、積層体１１の下面のｘ軸方向の負方向側に位置する短辺に沿って設けられている。また、外部電極１４ｄ〜１４ｆは、積層体１１の下面のｘ軸方向の正方向側に位置する短辺に沿って設けられている。これにより、図４に示すように、外部電極１２と外部電極１４とは、ｚ軸方向から平面視したときに重なっていない。外部電極１４は、積層体１１の下面に実装されるプリント配線基板との接続に用いられる。
【００２９】
また、積層体１１は、図３に示すように、コイル（回路素子）Ｌ及びコンデンサ（回路素子）Ｃを内蔵している。コイルＬは、絶縁体層１６ｄ〜１６ｇの表面に設けられた内部導体（図２では省略）及びビアホール導体（図示せず）により構成されている。コンデンサＣは、絶縁体層１６ｆ，１６ｇの表面に設けられた内部導体（図２では省略）により構成されている。また、図３に示すように、内部導体２０ａ，２０ｃ，２０ｅ及び内部導体２０ｂ，２０ｄ，２０ｆは、積層体１１のｚ軸方向に関する中心面よりも上面側に設けられている。
【００３０】
ビアホール導体ｂ１〜ｂ１１は、外部電極１２，１４、内部導体１８，２０，２２及びコイルＬ及びコンデンサＣを接続し、絶縁体層１６をｚ軸方向に貫通するように設けられている。具体的には、ビアホール導体ｂ１〜ｂ４はそれぞれ、図２に示すように、絶縁体層１６ａをｚ軸方向に貫通しており、外部電極１２ａ〜１２ｄと内部導体１８ａ〜１８ｄとを接続している。
【００３１】
ビアホール導体ｂ５は、図２に示すように、絶縁体層１６ｆをｚ軸方向に貫通しており、ｚ軸方向から平面視したときに、外部電極１２とは重なっていない。また、ビアホール導体ｂ５は、内部導体２２ａと内部導体２２ｂとを接続している。なお、図２では、内部導体２２同士を接続するビアホールとして、ビアホール導体ｂ５のみを記載したが、ビアホール導体ｂ５以外にも内部導体２２同士を接続するビアホール導体が存在していてもよい。ただし、内部導体２２同士を接続するビアホール導体は、外部電極１２と重なっていない。
【００３２】
ビアホール導体ｂ６〜ｂ１１は、図２に示すように、絶縁体層１６ｈをｚ軸方向に貫通しており、ｚ軸方向から平面視したときに、外部電極１２とは重なっていない。ビアホール導体ｂ６〜ｂ１１はそれぞれ、絶縁体層１６ｆ，１６ｇに設けられている内部導体２２と外部電極１４ａ〜１４ｆとを接続している。
【００３３】
以上のように構成された絶縁体層１６ａ〜１６ｈが積層されることにより、図１に示すような回路基板１０が得られる。
【００３４】
図５は、回路基板１０を備えたモジュール１５０の構成図である。モジュール１５０は、回路基板１０、電子部品５０及びプリント配線基板１００を備えている。
【００３５】
電子部品５０は、図５に示すように、回路基板１０に実装される半導体集積回路等の素子である。電子部品５０は、本体５２及び外部電極５４（５４ａ〜５４ｄ）を有している。本体５２は、例えば、半導体基板により構成される硬質基板である。外部電極５４は、本体５２のｚ軸方向の負方向側の主面（下面）に設けられている。そして、外部電極５４ａ〜５４ｄはそれぞれ、外部電極１２ａ〜１２ｄに対してはんだ６０により接続されている。これにより、電子部品５０は、回路基板１０の上面に実装されている。
【００３６】
プリント配線基板１００は、本体１０２及び外部電極１０４（１０４ａ〜１０４ｆ）を有している。本体１０２は、例えば、樹脂等からなる硬質基板である。外部電極１０４は、本体１０２のｚ軸方向の正方向側の主面（上面）に設けられている。そして、外部電極１０４ａ〜１０４ｆはそれぞれ、外部電極１４ａ〜１４ｆに対してはんだ７０のような接合材により接続されている。これにより、回路基板１０は、下面を介してプリント配線基板１００に実装されている。以上のような、モジュール１５０は、携帯電話等の電子装置に搭載される。
【００３７】
（回路基板の製造方法）
以下に、回路基板１０の製造方法について図面を参照しながら説明する。まず、一方の主面の全面に銅箔が形成された絶縁体層１６を準備する。ここで、絶縁体層１６ａ〜１６ｇでは、銅箔が形成された主面を表面とする。一方、絶縁体層１６ｈでは、銅箔が形成された主面を裏面とする。
【００３８】
次に、絶縁体層１６ａ，１６ｆのビアホール導体ｂ１〜ｂ５が形成される位置（図２参照）に対して、裏面側からレーザービームを照射して、ビアホールを形成する。また、絶縁体層１６ｈのビアホール導体ｂ６〜ｂ１１が形成される位置（図２参照）に対して、表面側からレーザービームを照射して、ビアホールを形成する。また、絶縁体層１６ｂ〜１６ｅ，１６ｇに対しても、必要に応じて、ビアホールを形成する。
【００３９】
次に、フォトリソグラフィ工程により、図２に示す外部電極１２を絶縁体層１６ａの表面に形成する。具体的には、絶縁体層１６ａの銅箔上に、図２に示す外部電極１２と同じ形状のレジストを印刷する。そして、銅箔に対してエッチング処理を施すことにより、レジストにより覆われていない部分の銅箔を除去する。その後、レジストを除去する。これにより、図２に示すような、外部電極１２が絶縁体層１６ａの表面に形成される。
【００４０】
次に、フォトリソグラフィ工程により、図２に示す内部導体１８を絶縁体層１６ｂの表面に形成する。また、フォトリソグラフィ工程により、図２に示す内部導体２０を絶縁体層１６ｃ〜１６ｅの表面に形成する。また、フォトリソグラフィ工程により、図２に示す内部導体２２を絶縁体層１６ｆ，１６ｇの表面に形成する。また、フォトリソグラフィ工程により、図３のコイルＬ及びコンデンサＣとなる内部導体（図２には図示せず）を絶縁体層１６ｄ〜１６ｇの表面に形成する。また、フォトリソグラフィ工程により、図２に示す外部電極１４を絶縁体層１６ｈの裏面に形成する。なお、これらのフォトリソグラフィ工程は、外部電極１２を形成する際のフォトリソグラフィ工程と同様であるので、説明を省略する。
【００４１】
次に、絶縁体層１６ａ，１６ｆ，１６ｈに形成したビアホールに対して、銅を主成分とする導電性ペーストを充填し、図２に示すビアホール導体ｂ１〜ｂ１１を形成する。また、絶縁体層１６ｂ〜１６ｅ，１６ｇにビアホールを形成した場合には、該ビアホールに対しても、導電性ペーストを充填する。
【００４２】
次に、絶縁体層１６ａ〜１６ｈをこの順に積み重ねる。そして、絶縁体層１６ａ〜１６ｈに対して積層方向の上下方向から力を加えることにより、絶縁体層１６ａ〜１６ｈを圧着する。これにより、図１に示す回路基板１０が得られる。
【００４３】
（効果）
回路基板１０では、以下に説明するように、プリント配線基板１００が変形したとしても、回路基板１０がプリント配線基板１００から外れることを抑制できる。より詳細には、図１０に示す従来の回路基板５００及びプリント配線基板６００が搭載された電子装置が落下した際の衝撃により、プリント配線基板６００に撓みが発生する場合がある。プリント配線基板６００に撓みが発生しても、回路基板５００は、硬質基板であるので、プリント配線基板６００の撓みに追従して大きく変形できない。そのため、外部電極５０２と外部電極６０２とを接続しているはんだに負荷がかかる。その結果、はんだが破損して、回路基板５００がプリント配線基板６００から外れてしまうことがある。
【００４４】
そこで、回路基板１０では、積層体１１は、可撓性材料からなる絶縁体層１６が積層されることにより構成されている。したがって、回路基板１０は、回路基板５００に比べて容易に撓むことができる。したがって、図５に示すモジュール１５０が搭載された電子装置が落下したことによって、プリント配線基板１００が撓んで外部電極１０４の間隔が変化したとしても、回路基板１０が変形することによって、外部電極１４の間隔も変化するようになる。その結果、外部電極１４と外部電極１０４とを接続するはんだに負荷がかかることが抑制され、回路基板１０がプリント配線基板１００から外れることが抑制される。
【００４５】
更に、回路基板１０では、以下に説明するように、電子部品５０が回路基板１０から外れることを抑制できる。より詳細には、図１０に示す特許文献１に記載のプリント基板８００は、全面にわたって可撓性を有しているので、全面にわたって撓んでしまう。これにより、外部電極８０３の間隔が変化してしまう。一方、電子部品７００は、半導体基板により構成されているので、大きくたわむことができない。よって、外部電極７０２，８０３及びこれらを接続するはんだに負荷がかかる。その結果、はんだが破損したり、外部電極７０２，８０３が本体７０１，８０１から剥離したりする。すなわち、電子部品７００とプリント基板８００との接続が外れてしまう。
【００４６】
そこで、回路基板１０では、ｚ軸方向から平面視したときに、内部導体１８，２０，２２の内の１以上の内部導体２０を外部電極１２と重ねることにより、電子部品５０が回路基板１０から外れることを抑制している。より詳細には、プリント配線基板１００が凸状に撓むと、外部電極１０４には、図５に示すように、矢印Ｂの方向に応力がかかる。外部電極１０４は、外部電極１４とはんだ７０を介して接続されている。更に、積層体１１は可撓性を有している。よって、外部電極１４は、外部電極１０４の変位に伴って、矢印Ｂの方向に応力を受ける。その結果、絶縁体層１６ｅ〜１６ｈには、ｘ軸方向において引っ張り応力α１が発生する。
【００４７】
ここで、内部導体２０は、例えば、銅などの金属箔により作製され、絶縁体層１６は、液晶ポリマー等の熱可塑性樹脂により作製されている。絶縁体層１６と内部導体２０とは、圧着されているだけであるので、絶縁体層１６と内部導体２０との間には化学結合などは存在しない。よって、絶縁体層１６と内部導体２０とは、互いにずれることができる。そのため、絶縁体層１６ｅ〜１６ｈに引っ張り応力が発生した場合には、絶縁体層１６ｄと内部導体２０ｅ，２０ｆとの間でずれが発生する。同様に、絶縁体層１６ｃと内部導体２０ｃ，２０ｄとの間でずれが発生する。同様に、絶縁体層１６ｂと内部導体２０ａ，２０ｂとの間でずれが発生する。
【００４８】
上記のように、絶縁体層１６と内部導体２０との間でずれが発生すると、ｚ軸方向の負方向側の絶縁体層１６からｚ軸方向の正方向側の絶縁体層１６へと力が伝達されなくなる。これにより、絶縁体層１６ｄ，１６ｃ，１６ｂに発生する引っ張り応力α２〜α４が、絶縁体層１６ｅ〜１６ｈに発生する引っ張り応力α１よりも小さくなる。より詳細には、引っ張り応力α１から引っ張り応力α４へといくにしたがって、大きさが小さくなっていく。したがって、絶縁体層１６ａ〜１６ｈに発生するｘ軸方向の伸びは、ｚ軸方向の負方向側から正方向側にいくにしたがって小さくなっていく。よって、絶縁体層１６ａの表面に設けられている外部電極１２ａ，１２ｂは、殆ど変位しない。その結果、回路基板１０では、電子部品５０が回路基板１０から外れることを抑制できる。なお、絶縁体層１６ｄと内部導体２０ｅ、絶縁体層１６ｃと内部導体２０ｃのように、内部導体の一方主面側と絶縁体層の一方主面側とが例えばアンカー効果により強固に接合されている場合であっても、内部導体が複数層存在すれば、内部導体の他方主面側にずれを発生させ、応力αを緩和させることができる。
【００４９】
特に、回路基板１０では、複数の内部導体２０が、ｚ軸方向から平面視したときに、外部電極１２と重なっている。そのため、絶縁体層１６に発生する引っ張り応力がより効果的に緩和される。その結果、電子部品５０が回路基板１０から外れることがより効果的に抑制される。
【００５０】
更に、回路基板１０では、プリント配線基板１００にｚ軸方向の負方向側から正方向側へと衝撃が加わった際に、該衝撃が外部電極１２に伝わることが抑制される。より詳細には、ビアホール導体は、導電性材料により構成されているので、絶縁体層１６よりも硬い。そのため、内部導体１８，２０，２２を接続するビアホール導体と外部電極１２とが、ｚ軸方向から平面視したときに重なっていると、衝撃は、ビアホール導体を介して外部電極１２へと伝わってしまう。
【００５１】
そこで、回路基板１０では、内部導体２２同士を接続しているビアホール導体ｂ５は、ｚ軸方向から平面視したときに、外部電極１２と重なっておらず、内部導体２０同士は、ｚ軸方向から平面視したときに、外部電極１２と重なる領域において、互いに接続されていない。すなわち、外部電極１２は、ｚ軸方向から平面視したときに、ビアホール導体ｂ１〜ｂ４以外のビアホール導体と重なっていない。そのため、プリント配線基板１００に衝撃が加わった際に、衝撃は、ビアホール導体を介して外部電極１２へと伝わることがない。その結果、プリント配線基板１００にｚ軸方向の負方向側から正方向側へと衝撃が加わった際に、該衝撃が外部電極１２に伝わることが抑制される。
【００５２】
更に、回路基板１０では、以下に説明する理由によっても、プリント配線基板１００にｚ軸方向の負方向側から正方向側へと衝撃が加わった際に、該衝撃が外部電極１２に伝わることが抑制される。より詳細には、プリント配線基板１００からの衝撃は、外部電極１０４、はんだ７０及び外部電極１４を介して積層体１１に伝わる。そのため、外部電極１２と外部電極１４とは、できるだけ離れて設けられていることが望ましい。そこで、回路基板１０では、外部電極１２は、ｚ軸方向から平面視したときに外部電極１４と重ならないように設けられている。これにより、プリント配線基板１００にｚ軸方向の負方向側から正方向側へと衝撃が加わった際に、該衝撃が外部電極１２に伝わることが抑制される。また、上述した効果をより享受するためには、内部導体は、外部電極１２に近ければ近いほど好ましい。
【００５３】
（変形例）
以下に、第１の変形例に係る回路基板１０ａについて図面を参照しながら説明する。図６は、第１の変形例に係る回路基板１０ａの分解斜視図である。
【００５４】
回路基板１０ａは、内部導体（補助導体）２４（２４ａ〜２４ｃ）を備えている点において、回路基板１０と異なっている。より詳細には、内部導体２４ａは、内部導体２０ａ，２０ｂが設けられている絶縁体層１６ｃの表面において、内部導体２０ａ，２０ｂが並んでいる方向（すなわち、ｘ軸方向）に沿って設けられている。同様に、内部導体２４ｂは、内部導体２０ｃ，２０ｄが設けられている絶縁体層１６ｄの表面において、内部導体２０ｃ，２０ｄが並んでいる方向（すなわち、ｘ軸方向）に沿って設けられている。同様に、内部導体２４ｃは、内部導体２０ｅ，２０ｆが設けられている絶縁体層１６ｅの表面において、内部導体２０ｅ，２０ｆが並んでいる方向（すなわち、ｘ軸方向）に沿って設けられている。
【００５５】
以上のような内部導体２４が設けられることにより、絶縁体層１６は、内部導体２０が並ぶ方向（ｘ軸方向）に延びにくくなる。その結果、プリント配線基板１００が変形したとしても、絶縁体層１６ａの表面に設けられている外部電極１２ａ，１２ｂは、殆ど変位しなくなる。その結果、回路基板１０ａでは、電子部品５０が回路基板１０ａから外れることをより効果的に抑制できる。
【００５６】
以下に、第２の変形例に係る回路基板１０ｂについて図面を参照しながら説明する。図７は、第２の変形例に係る回路基板１０ｂの分解斜視図である。
【００５７】
回路基板１０ｂは、外部導体２６（２６ａ〜２６ｄ）を備えている点において、回路基板１０と異なっている。より詳細には、外部導体２６ａ〜２６ｄはそれぞれ、外部電極１２ａ〜１２ｄに接続されている。そして、ビアホール導体ｂ１〜ｂ４はそれぞれ、外部導体２６ａ〜２６ｄに接続されている。これにより、外部電極１２ａ〜１２ｄは、ｚ軸方向から平面視したときに、ビアホール導体ｂ１〜ｂ４と重ならないようになる。その結果、プリント配線基板１００にｚ軸方向の負方向側から正方向側へと衝撃が加わった際に、該衝撃が外部電極１２に伝わることがより効果的に抑制される。
【００５８】
以下に、第３の変形例に係る回路基板１０ｃについて図面を参照しながら説明する。図８は、第３の変形例に係る回路基板１０ｃの分解斜視図である。
【００５９】
回路基板１０ｃは、内部導体２０ａ〜２０ｆの代わりに、内部導体２８ａ〜２８ｃが設けられている点において、回路基板１０と異なっている。より詳細には、内部導体２８ａは、絶縁体層１６ｃの表面に設けられ、ｚ軸方向から平面視したときに、外部電極１２ａ〜１２ｄと重なっている。同様に、内部導体２８ｂは、絶縁体層１６ｄの表面に設けられ、ｚ軸方向から平面視したときに、外部電極１２ａ〜１２ｄと重なっている。内部導体２８ｃは、絶縁体層１６ｅの表面に設けられ、ｚ軸方向から平面視したときに、外部電極１２ａ〜１２ｄと重なっている。以上のような構成を有する回路基板１０ｃにおいても、回路基板１０と同様に、回路基板１０ｃから電子部品５０が外れることを抑制できる。
【００６０】
以下に、第４の変形例に係る回路基板１０ｄについて図面を参照しながら説明する。図９は、第４の変形例に係る回路基板１０ｄの分解斜視図である。図９では、絶縁体層１６ａ〜１６ｅが示されている。回路基板１０ｄの絶縁体層１６ｆ〜１６ｈについては、図２に示した回路基板１０の絶縁体層１６ｆ〜１６ｈと同じであるので説明を省略する。
【００６１】
回路基板１０ｄは、内部導体２０ａ〜２０ｆの代わりに、内部導体３０ａ〜３０ｆ及びビアホール導体ｂ１２〜ｂ１７が設けられている点において、回路基板１０と異なっている。より詳細には、内部導体３０ａ，３０ｂは、絶縁体層１６ｃの表面に設けられ、７／８ターンのコイル導体を構成している。更に、内部導体３０ａは、ｚ軸方向から平面視したときに、外部電極１２ａ，１２ｂと重なっている。内部導体３０ｂは、ｚ軸方向から平面視したときに、外部電極１２ｃ，１２ｄと重なっている。内部導体３０ｃ，３０ｄは、絶縁体層１６ｄの表面に設けられ、７／８ターンのコイル導体を構成している。更に、内部導体３０ｃは、ｚ軸方向から平面視したときに、外部電極１２ａ，１２ｂと重なっている。内部導体３０ｄは、ｚ軸方向から平面視したときに、外部電極１２ｃ，１２ｄと重なっている。内部導体３０ｅ，３０ｆは、絶縁体層１６ｅの表面に設けられ、７／８ターンのコイル導体を構成している。更に、内部導体３０ｅは、ｚ軸方向から平面視したときに、外部電極１２ａ，１２ｂと重なっている。内部導体３０ｆは、ｚ軸方向から平面視したときに、外部電極１２ｃ，１２ｄと重なっている。
【００６２】
ビアホール導体ｂ１２，ｂ１３はそれぞれ、絶縁体層１６ｃをｚ軸方向に貫通しており、内部導体３０ａ，３０ｂの端部と内部導体３０ｃ，３０ｄの端部とを接続している。同様に、ビアホール導体ｂ１４，ｂ１５はそれぞれ、絶縁体層１６ｄをｚ軸方向に貫通しており、内部導体３０ｃ，３０ｄの端部と内部導体３０ｅ，３０ｆの端部とを接続している。ビアホール導体ｂ１６，ｂ１７はそれぞれ、絶縁体層１６ｅをｚ軸方向に貫通しており、内部導体３０ｅ，３０ｆの端部に接続されている。これにより、内部導体３０ａ，３０ｃ，３０ｅ及びビアホール導体ｂ１２，ｂ１４，ｂ１６は、コイルＬ１を構成している。また、内部導体３０ｂ，３０ｄ，３０ｆ及びビアホール導体ｂ１３，ｂ１５，ｂ１７は、コイルＬ２を構成している。
【００６３】
以上のように、コンデンサ導体又はグランド導体である内部導体２０の代わりに、コイル導体である内部導体３０が用いられることによっても、回路基板１０と同様に、回路基板１０ｄから電子部品５０が外れることを抑制できる。なお、内部導体３０は、コイル導体であるとしたが、例えば、コイルを構成しない単なる配線導体であってもよい。
【００６４】
なお、回路基板１０，１０ａ〜１０ｄでは、外部電極１４は、積層体１１の下面に設けられているが、例えば、側面に設けられていてもよい。
【００６５】
なお、回路基板１０，１０ａ〜１０ｄにおいて、外部電極１４は必ずしも設けられていなくてもよい。具体的には、回路基板１０，１０ａ〜１０ｄは、プリント配線基板１００に実装されるのではなく、筐体等に接着される場合がある。この場合には、外部電極１４は、回路基板１０，１０ａ〜１０ｄにおいて不要である。
【産業上の利用可能性】
【００６６】
本発明は、回路基板に有用であり、特に、回路基板から電子部品が外れることを抑制できる点において優れている。
【符号の説明】
【００６７】
Ｃ  コンデンサ
Ｇ１，Ｇ２  グループ
Ｌ，Ｌ１，Ｌ２  コイル
ｂ１〜ｂ１７  ビアホール導体
１０，１０ａ〜１０ｄ  回路基板
１１  積層体
１２ａ〜１２ｄ，１４ａ〜１４ｆ  外部電極
１６ａ〜１６ｈ  絶縁体層
１８ａ〜１８ｄ，２０ａ〜２０ｆ，２２ａ，２２ｂ，２４ａ〜２４ｃ，２８ａ〜２８ｃ，３０ａ〜３０ｆ  内部導体
２６ａ〜２６ｄ  外部導体
【図１】
0005516787.tif 000002
【図２】
0005516787.tif 000003
【図３】
0005516787.tif 000004
【図４】
0005516787.tif 000005
【図５】
0005516787.tif 000006
【図６】
0005516787.tif 000007
【図７】
0005516787.tif 000008
【図８】
0005516787.tif 000009
【図９】
0005516787.tif 000010
【図１０】
0005516787.tif 000011